(57)【要約】【課題】本発明は、チェーンコンベヤの分量精度を簡単な設計で改善するようにしたものである。【解決手段】本発明は、材料（特にバルク材料）の重量測定的測定／分量のためのチェーンコンベヤ（１）の測定精度を向上させ、構成を簡単にすることを意図する。前記コンベヤは、ハウジング／トラフ（３）を含み、前記ハウジング／トラフ中では、少なくとも２つのコンベヤチェーン（６）にストリップ形状の駆動エレメント（７）が取り付けられ、少なくとも１つの力測定装置上で支持された測定ブリッジ（２）が前記入口（Ｅ）と前記出口穴（９）との間に構成される。本発明によれば、前記駆動エレメント（７）は、前記コンベヤチェーン（６）上の複数の分節とともに取り付けられる。より詳細には、前記駆動エレメントは、横方向ヒンジボルトによって正方向の取付で上部端部上の前記チェーンリンク中に挿入され、前記測定ブリッジ（２）上に平坦に配置されるように構成される。【選択図】図１
2004532168.tif 000002
【特許請求の範囲】
【請求項１】
材料（特にバルク材料）の重量測定的測定／分量のためのチェーンコンベヤであって、
前記コンベヤは、ハウジング／トラフを含み、前記ハウジング／トラフ中では、少なくとも２つのコンベヤチェーンにストリップ形状の駆動エレメントが取り付けられ、前記コンベヤチェーンが回転し、入口／充填開口部および出口開口部も設けられ、少なくとも１つの力測定装置上で支持された少なくとも１つの測定ブリッジが前記入口／充填と前記出口開口部との間に構成され、
前記駆動エレメント（７）は、前記コンベヤチェーン（６）上の複数の分節とともに取り付けられ、特に横方向ヒンジボルト（２７）によって正方向の取付様態で前記直立チェーンリンク中に挿入され、前記測定ブリッジ（２）上に平坦に配置されるように構成される点において特徴付けられる、
チェーンコンベヤ。
【請求項２】
前記駆動エレメント（７）は、ガイドバー状の保持デバイス（８）上において旋回可能に構成される点において特徴付けられる、請求項１に記載のチェーンコンベヤ。
【請求項３】
前記駆動エレメント（７）は、特に上面図においてＵ字型を形成するための横方向境界（７）を含む点において特徴付けられる、請求項１または２に記載のチェーンコンベヤ。
【請求項４】
前記保持デバイス（８）は、特に直立チェーンリンク（８ａ）または平行四辺形のリンクバーの形態をした引きずりリンク（８’）を含む点において特徴付けられる、請求項２または３に記載のチェーンコンベヤ。
【請求項５】
前記引きずりリンク（８’）は、前記各駆動エレメント（７）の垂直方向ストロークの範囲を定めるための少なくとも１つのストップ（８ｂ）を含む点において特徴付けられる、請求項４に記載のチェーンコンベヤ。
【請求項６】
前記駆動エレメント（７）は、前記コンベヤチェーン（６）に沿って前記ヒンジボルト（２７）に対する少なくとも２つの（好適には３つまたは４つの）チェーンリンクによってトレイル状に構成される点において特徴付けられる、前記請求項１〜５のいずれかに記載のチェーンコンベヤ。
【請求項７】
前記駆動エレメント（７）はそれぞれ、トップウェイトを含む点において特徴付けられる、前記請求項１〜６のいずれかに記載のチェーンコンベヤ。
【請求項８】
前記ヒンジボルト（２７）は、前記コンベヤチェーン（６）中において少なくとも低く緩い取り付けで係合する点において特徴付けられる、前記請求項１〜７のいずれかに記載のチェーンコンベヤ。
【請求項９】
前記境界（７’）は、前記運搬方向（Ａ）において前記測定ブリッジ（２）の横方向長さに概して対応するか、または、前記長さよりも長い構成を提供される点において特徴付けられる、前記請求項３〜８のいずれかに記載のチェーンコンベヤ。
【請求項１０】
前記駆動エレメント（７）は、下部ランから上部ランへのたわみ領域（１５）における再循環構成を提供される点において特徴付けられる、前記請求項１〜９のいずれかに記載のチェーンコンベヤ。
【発明の詳細な説明】
【技術分野】
【０００１】
本発明は、材料（特にバルク材料）を重量測定的に測定／分量チェーンコンベヤに関する。
【背景技術】
【０００２】
前記コンベヤは、ハウジング／トラフを含み、前記ハウジング／トラフ中では、少なくとも２つのコンベヤチェーンにストリップ形状の駆動エレメントが取り付けられ、前記コンベヤチェーンが回転し、入口／充填開口部および出口開口部も設けられ、少なくとも１つの力測定装置上で支持された少なくとも１つの測定ブリッジ（２）が前記入口／充填と前記出口開口部との間に構成される。
【０００３】
このようなチェーンコンベヤは、バルク材料を運搬および検量する際に特に用いられる。このようなチェーンコンベヤはまた、高処理量および高ドローオフ力において耐摩耗性の構成を有するため、基幹産業（例えば、セメント製造）においてバルク材料の運搬強度を適量に分けたり検出したりする際において多く用いられている。さらに、このようなチェーンコンベヤは製造および運用コストが比較的安くまた取り付けも簡単であり、構成も頑丈であるため、目の粗い粗大なまたは粘着性のバルク材料用のバンカードローオフ部材としても適している。
【特許文献１】
ＤＥ  １９５  ３６  ８７１
【特許文献２】
ＤＥ  ９２  ３０  ３６８１
【発明の開示】
【発明が解決しようとする課題】
【０００４】
このような従来のチェーンコンベヤの構成の不利点としては、運搬材料を空ける際に材料が駆動エレメントウェブに付着したり、コンベヤチェーンからの妨害力が測定を変化させると、分量精度が比較的低くなり得る点がある。このような現象は、分量精度の逸脱を大きくする原因となり得る。しかしながら、これは添加物の混合物にとって重要である。検量機器は、ベルトコンベヤまたは揚荷プレートコンベヤさえと共に既に知られている（例えば、ＤＥ  １９５  ３６  ８７１またはＤＥ  ９２  ３０  ３６８１に記載のもの）。このようなコンベヤベルトまたは揚荷プレートコンベヤベルトは、固定検量ブリッジ上に伸びている。これらのコンベヤには、摩耗挙動または必要電力消費に関連する不利点がある。なぜならば、ゴム材料製のコンベヤベルトの場合、強化型構成であっても高い摩耗および引き裂き力を受ける一方、（特に高負荷下の）個々の接合部間の相互運動により、揚荷プレートコンベヤベルトは高摩擦を受けるからである。
【０００５】
そのため、本発明は、チェーンコンベヤの分量精度を簡単な設計で改善する目的に基づく。
【課題を解決するための手段】
【０００６】
この目的は、請求項１の特徴によるチェーンコンベヤによって達成される。好適な実施形態は、従属請求項の主題である。
【発明の効果】
【０００７】
「トレイル」または引きずり構成駆動エレメントを複数分節化した結果、駆動エレメントは、コンベヤチェーンからの検量の点において「分離」される。このようなコンベヤチェーン上の駆動エレメントの少なくとも２つの分節により、駆動エレメントは、検量ブリッジのスライド面上に平坦に構成されるようになる。その上、コンベヤチェーン上の妨害力（例えば、粒状材料を駆動エレメントと検量ブリッジとの間でクランプする際の力）が実質的に無くなり、そのため、測定部分そのものが外力からの影響を受けなくなる。このようなコンベヤチェーン上の高さ移動が可能な（上面がＵ字型の）駆動エレメントのガイダンスが得られると、複数の分離が信頼性高くかつ簡単な様式で得られ、これらの駆動エレメントは、コンベヤチェーンによって回転方向に確実に駆動される。このようにして、駆動エレメントがリジッド構成の場合に発生するような運搬不安定性に関する問題を確実に回避することができる。
【０００８】
提案のチェーンコンベヤの特に簡単な実施形態は、チェーンコンベヤの駆動エレメントをガイドバー状またはブラケット状の保持デバイス上に旋回可能に構成することによって得られる。この構成は、既存のチェーンコンベヤを改造する際にも特に適している。なぜならば、横方向ヒンジボルトを簡単に締結できるため、重量測定的力測定装置を備えたチェーンコンベヤ（さらにはチェーントラフコンベヤ）を改造できるからである。
【０００９】
これは、さらなる中間ジョイントを介して分離状に保持された駆動エレメントを可動取り付けする際にも当てはまる。このような中間ジョイントを差し込むことにより、特に簡単なヒンジまたは直立状に構成されたチェーンリンク、すなわち一種の「カルダン」取り付けが得られるため、駆動エレメントを運搬ツールとして自動的にセンタリングできる。さらに、駆動エレメント上の横方向リミットを構成する際、コンベヤチェーンはバルク材料の列の外部を走るため、摩耗および引き裂きを実質的に低減することができる。
【００１０】
特筆すべき利点としては、このようにして達成可能な材料の再循環があり、そのため、バルク材料が摩耗したものおよびいわゆる排出粒子を入口開口部に戻すことが可能となる。
【発明を実施するための最良の形態】
【００１１】
さらなる有利な構成を、図面中の実施形態の下記の説明において示す。
【００１２】
図１は、チェーンコンベヤスケールの側面図である。
【００１３】
図２は、図１のチェーンコンベヤスケールの断面を拡大斜視図として示したものである。
【００１４】
図３は、図２による適切な上面図である。
【００１５】
図４は、図３に示すようなチェーンコンベヤの側部領域のさらなる図示である。
【００１６】
図５は、図３および図４による保持デバイスのさらなる改善構成を示す。
【００１７】
図６は、チェーンコンベヤの終端ゾーンの側面図の断面図である。
【００１８】
図１および図２は、ハウジングまたはトラフ３中のチェーンコンベヤ１の側面図および斜視図である。チェーンコンベヤ１は、ベルトの上部ラン５上に構成された直線状測定部または測定ブリッジ２を含む。コンベヤチェーン６は、ハウジング／トラフ３中の測定ブリッジ２に沿って走る。これらのコンベヤチェーンは、Ｕ字型の運搬ツール（上面図）または駆動エレメント７を含む。これらの引きずりリンク駆動エレメント７により、開口部Ｅを通じてハウジング３に入るバルク材料（この場合、これはバンカーまたはサイロである）を、矢印にて示すようにベルトの運搬ラン５中の測定ブリッジ２に沿ってそして下部ラン４に沿って時計回りに運搬し、出口開口部９に入らせる。入口／充填開口部Ｅと出口開口部９との間には、プレート状の測定ブリッジ２が可とう性中間エレメントにより可動性かつ若干の弾力性をもって保持され、この点において力測定装置１２上において支持される。この力測定装置１２は、少なくとも測定ブリッジの下側において構成され、ほぼ中央に構成された検量セルを特に支持する。ドライブ１３は、測定ブリッジの左端近隣に設けられ、コンベヤチェーン６において係合するチェーンホイールの様態で設けられる。
【００１９】
測定部／測定ブリッジ２に沿った運搬の後、運搬されてきたバルク材料（点線で示す）は、前部排出端部中の耐摩耗性ベースプレートに到達し、その後、下部ラン４領域中のドライブ１３に到達し、最後に、相互に平行に伸びるコンベヤチェーン６およびブラケット状ドライブエレメント７によって水平に運搬され、出口開口部９に到達する。そこでは、材料は重力によって落下し、また吹き飛ばされ得る。このような吹き飛ばしライン（図示せず）は、ハウジング３（特に耐圧または防塵構造のチェーンコンベヤの場合）において構成可能である点に留意されたい。力測定装置１２には、妨害モーメントは働かない。その上、これを用いて、コンベヤチェーン６および／または駆動エレメント７を清掃することも可能である。
【００２０】
ハウジング屈曲部１５（この場合は右側）に沿ったガイダンスも関連する。なぜならば、これを用いて、排出不可能であった任意のバルク材料を上方に再循環させることができるからである（図６を参照）。横断力センサまたは検量セルを誘導的、容量性または圧電的に用いて、ブリッジを測定するための力測定装置１２として用いることができる。好適には、実質的にパスレスの測定力測定装置１２（特にひずみゲージ検量セル）を用いるとよい。なぜならば、このような装置を用いると、測定ブリッジ２の屈曲部角度を数分の角度に限定することができるため、コンベヤチェーン６の循環運動がとくに妨害されることがなくなるからである。
【００２１】
力測定装置１２は、運搬されたバルク材料の重量測定値をコンピュータに伝える。コンピュータは、測定値と（例えばドライブ１３上のタコメータジェネレータから得られた）速度値との積から瞬間流量を計算する。好適には、この実際の値を分量目的のために所定の設定ポイント値と比較して、逸脱が有った場合、制御可能ドライブｌ３を公知の方法で再調節する。
【００２２】
図２および図３は、ガイドロック状の保持デバイス８によって保持された駆動エレメント７の側部領域を示す。１つの直立チェーンリンク上のヒンジボルト２７の「浮上型」プラグタイプ接続とともに、各コンベヤチェーン６を図示している。
【００２３】
関連する局面としては、Ｕ字型駆動エレメント７がコンベヤチェーン６および測定ブリッジ２に対して高さ移動可能または高さ旋回可能であるため、妨害力が発生したとしても、測定結果には影響せず、あるいは測定ブリッジ２によってゼロにすることが可能である点がある。規定された支持挙動を達成するために、駆動エレメント７に重金属などを挿入してさらに負荷をかけてもよい。コンベヤチェーン６そのものは、交互に配列されたガイドエレメント１１中の両側上にガイドしてもよいし、一方、ヒンジボルト２７（特に図３〜図５を参照）によって駆動エレメント７を取り付けが緩い側の直立チェーンリンク２６に挿入して、これにより、平坦に構成されたコンベヤチェーンおよび駆動エレメント７に対して妨害力が届かず、妨害力が複数の様式で（すなわち、少なくとも２度の自由度で）測定ブリッジ２上で（または屈曲ブリッジの場合は半分に）分離される。
【００２４】
ガイドエレメント１１の横方向ガイド機能を省略して、コンベヤチェーンの測定部から内側方向の（例えば平滑なストリップによる）引き上げを妨害することもできる一方、コンベヤチェーン６の下側を測定ブリッジ２上のＰＴＦＥストリップ上で回転させてもよい。測定部上のコンベヤチェーン６をガイドおよび支持する目的のため、ローラまたはホイールを設けてもよい。
【００２５】
図１中に破線で示すように、出口開口部９’を充填開口部Ｅの下側またはドライブ１３近隣に構成してもよい。出口開口部９の次に第２の測定ブリッジを設けてもよい。その結果、駆動エレメントの重量を検出して、微分の後に測定ブリッジの２つの測定値を比較することにより、運搬されたバルク材料の実際の数を出口開口部９において判定することができる。バルク材料の粒子が駆動エレメント７またはコンベヤチェーン６に付着した場合、バルク材料の数量のみを検出し、その結果、チェーンコンベヤ１の効果は残る。
【００２６】
上述したように、駆動エレメント７の垂直方向の遊びは比較的小さく、横方向移動度もわずかであるため、コンベヤチェーンの回転運動も妨害されない。その代わり、駆動エレメント７が横方向方向において中央に集まる。図４および図５に示すように、引きずりリンク８’は、駆動エレメント７用の旋回可能ベアリングとして保持デバイス８上に設けられる。これらのリンクにより、一定横方向の数ミリの移動度も得られる。最も簡単な構成において、引きずりリンク８’は、保持デバイス８に締結された直立チェーンリンクによってカルダン取付様態で形成され（図４）、平行四辺形のリンクバーも可能である。図５による構成において、駆動エレメント７の高さ方向（図面に対して垂直方向）の引きずりリンク８’を中心とした旋回可能性は、ストップ８ｂによって限定される。このストップ８ｂは、保持デバイス８の長方形穴中に係合する。このブラケット／ボルト取り付けの代わりに、引きずりリンク８’を形成する他の低摩擦ベアリングを設けることも可能である。コンベヤチェーンの４つのチェーンリンクごとにヒンジボルト２７を挿入して、ヒンジボルト２７間の距離を４つのチェーンリンクよりも大きくなるようにして、これにより、横方向境界７’を境界プレートのように伸張させて、測定ブリッジ２に沿って相互に重複するようにし、これにより、運搬されたバルク材料がコンベヤチェーン６に向かって横方向に排出されないようにすることもできることが理解される。
【００２７】
図６は、チェーンコンベヤ１の２つのたわみ領域を示す。前記ストップ８ｂによる上部ランから下部ランへの移行の際、右側領域（ドライブホイール１３）において、駆動エレメント７を過剰にチルトさせることができる。このようにして、ハウジングの過剰摩擦を避けることができる。反対側の端部（たわみホイール１４）において、駆動エレメント７の限定された旋回運動と、ハウジング屈曲部ｌ５とを共に用いて、材料を上方再循環させる。この場合、ハウジング屈曲部１５上の駆動エレメント７の規定された接触も達成可能である。
【００２８】
力測定装置（単数または複数）１２の測定値は、測定ブリッジ負荷および運搬速度から構成された瞬間的運搬強度を計算するコンピュータを備えた公知の電子的評価システムに供給され、そこで、規定された設定ポイント値と比較される点に留意されたい。チェーンコンベヤ１のドライブ１３を（例えば電子速度制御により）加速または減速させることにより、運搬が困難な材料（例えば、クリンカまたは高熱のバルク材料）の場合にも、所望の運搬数量または分量数量（運搬強度または運搬要領）の精度を保つことができる。このようなスケール様態のチェーンコンベヤは、完全防塵仕様の構成に設けることも可能である。
【産業上の利用可能性】
【００２９】
本発明は、材料（特にバルク材料）を重量測定的に測定／分量チェーンコンベヤに適している。
【図面の簡単な説明】
【００３０】
【図１】図１は、チェーンコンベヤスケールの側面図である。
【図２】図２は、図１のチェーンコンベヤスケールの断面を拡大斜視図として示したものである。
【図３】図３は、図２による適切な上面図である。
【図４】図４は、図３に示すようなチェーンコンベヤの側部領域のさらなる図示である。
【図５】図５は、図３および図４による保持デバイスのさらなる改善構成を示す。
【図６】図６は、チェーンコンベヤの終端ゾーンの側面図の断面図である。
【符号の説明】
【００３１】
１…チェーンコンベヤ
２…測定ブリッジ
３…ハウジング／トラフ
６…コンベヤチェーン
７…駆動エレメント
９…出口穴
２７…横方向ヒンジボルト
Ｅ…入口
【国際公開パンフレット】
2004532168.tif 000003
2004532168.tif 000004
2004532168.tif 000005
2004532168.tif 000006
2004532168.tif 000007
2004532168.tif 000008
2004532168.tif 000009
2004532168.tif 000010
2004532168.tif 000011
2004532168.tif 000012
2004532168.tif 000013
2004532168.tif 000014
2004532168.tif 000015
2004532168.tif 000016
2004532168.tif 000017
【国際調査報告】
2004532168.tif 000018
2004532168.tif 000019
2004532168.tif 000020
2004532168.tif 000021